(57)【要約】        【課題】  ストッパ片がマグネットによって吸着されたときでも、大きな音が発生したり、マグネットが欠けたりすることがなく、かつ、扉の開放状態が軽い衝撃などで容易に解除されることのないドアストッパを提供する。        【解決手段】  ストッパ本体１０には、前記ストッパ本体から突出可能に形成され、突出時にはマグネット４０に吸着したストッパ片９１に係止して扉が閉止するのを阻止する係止部６０と、前記マグネットと吸着時の前記ストッパ片との間に介在するように設けられ、前記マグネットの励磁作用により吸着された前記ストッパ片がマグネットに当接する際の衝撃を緩衝させる緩衝壁５１とを備えた。    【選択図】    図１
2009108649.tif 000002
【特許請求の範囲】
【請求項１】
扉側に固定され、マグネットを有するストッパ本体と、
床面に固定され、前記床面から突出して前記ストッパ本体と係合するストッパ片を揺動可能に備えた係止具本体とからなり、
開扉時に前記扉が設定された位置にきたときに、前記マグネットの励磁吸着作用によって前記ストッパ片を前記床面から突出させるとともに、前記ストッパ本体に当接させて、前記扉のそれ以上の開放を阻止するように構成したドアストッパにおいて、
上記ストッパ本体には、
前記ストッパ本体から突出可能に形成され、突出時にはマグネットに吸着した前記ストッパ片に係止して扉が閉止するのを阻止する係止部と、
前記マグネットと吸着時の前記ストッパ片との間に介在するように設けられ、前記マグネットの励磁作用により吸着された前記ストッパ片がマグネットに当接する際の衝撃を緩衝させる緩衝壁とを備えたことを特徴とするドアストッパ。
【請求項２】
ストッパ片は、一端側を床面側に揺動可能に配置されたアーム部と、
前記アーム部の他端側に設けられ前記アーム部の長さ方向とは交差する方向の両側に延びた一対の延出片とを備え、
係止部は、前記アーム部の幅よりも広く、前記延出片の延出方向の幅よりも狭い対向間隔を介して配置された一対の係止爪からなり、
前記一対の係止爪は、前記アーム部の両側から突出して、前記一対の延出片に各々係止するように形成し、扉が閉止するのを阻止可能としたことを特徴とする請求項１記載のドアストッパ。
【請求項３】
緩衝壁は、弾性を備えた合成樹脂で形成したことを特徴とする請求項１又は２記載のドアストッパ。
【請求項４】
係止部は、ストッパ本体に対する突出動作を操作する操作片を設け、
前記操作片は、ストッパ本体に設けた一次保持部に付勢されて一時的に保持されることで、係止部を突出させた突出位置に一次保持可能とするとともに、前記一次保持部への付勢力に抗する操作によって、前記係止部を突出位置から開放されて非突出位置へ移動可能に形成したことを特徴とする請求項１、請求項２又は請求項３記載のドアストッパ。
【請求項５】
一対の延出片は、マグネットの励磁作用によってストッパ片がストッパ本体に当接した際に、前記マグネットの励磁作用によって突出状態となっている前記ストッパ片を押圧することによって、一次保持部の付勢力に抗して非突出状態へ移動可能に形成したことを特徴とする請求項２、請求項３又は請求項４記載のドアストッパ。
【請求項６】
ストッパ本体には、
固定された扉の垂直面に対向して位置する側面板と、
前記側辺板の下端から延び前記扉の底面に対向して位置する金属製の底面板とを備え、
前記底面板の下方には、マグネットにより吸着されたストッパ片との間に介在して前記底面板と前記ストッパ片とが当接するのを防止する樹脂製の底面部材を配置したことを特徴とする請求項１、請求項２、請求項３、請求項４及び請求項５記載のドアストッパ。
【請求項７】
ストッパ本体は、扉の側面に配置される側面部と、
前記側面部の下端に連続するとともに、扉の下端面に設置される底面部とからなる断面Ｌ字型をなすように形成し、
底面部には、マグネット、係止部及び緩衝壁を配置したことを特徴とする請求項１、請求項２、請求項３、請求項４、請求項５及び請求項６記載のドアストッパ。
【発明の詳細な説明】
【技術分野】
【０００１】
この発明は、扉を開放した状態に保つためのドアストッパに関する。
【背景技術】
【０００２】
従来、扉を開放した状態に保つためのドアストッパとしては、扉側に固定し、マグネットを配設したストッパ本体と、床面に固定し、床面より突出するようにストッパ片を揺動可能に配設した係止具本体とからなり、開扉時に扉が設定された位置にきたときに、マグネットの励磁吸着作用によりストッパ片を床面より突出させてストッパ本体側に当接させ、それ以上の開扉を阻止するように構成したドアストッパにおいて、ストッパ本体に配設した戸当たり片に、ストッパ片に形成した係止部に係止する係止爪を形成したものが知られていた。
【特許文献１】特開２００３−９０１６２号公報
【発明の開示】
【発明が解決しようとする課題】
【０００３】
しかし、上記した従来のドアストッパでは、マグネットと吸着されるストッパ片との間に何ら介在しないことから、ストッパ片が吸着され、マグネットにストッパ片が衝突したときに、大きな音を発生したり、マグネットが衝撃で割れたりするといった問題点があった。
また、ドアストッパを扉の側面に配置していることから、人の足や家具などにぶつかり易く、また、意匠性も悪いといった問題点があった。
【０００４】
さらに、ストッパ片を吸着することにより、扉を開放した状態に保っているために、軽い衝撃などでストッパ片の吸着が解除されて、扉が閉止してしまうといった問題点があった。
そこで、各請求項にそれぞれ記載された各発明は、上記した従来の技術の有する問題点に鑑みてなされたものであり、その目的とするところは、次の点にある。
（請求項１）
すなわち、請求項１記載の発明は、次の点を目的とする。
【０００５】
請求項１記載の発明によれば、ストッパ片がマグネットによって吸着されたときでも、大きな音が発生したり、マグネットが欠けたりすることがなく、かつ、扉の開放状態が軽い衝撃などで容易に解除されることのないドアストッパを提供しようとするものである。
（請求項２）
請求項２記載の発明は、上記した請求項１記載の発明の目的に加え、次の点を目的とする。
【０００６】
すなわち、請求項２記載の発明によれば、ストッパ片に係止部を安定的に係止させることで、扉の開状態を安定的に維持することのできるドアストッパを提供しようとするものである。
（請求項３）
請求項３記載の発明は、上記した請求項１又は請求項２記載の発明の目的に加え、次の点を目的とする。
【０００７】
すなわち、請求項３記載の発明によれば、ストッパ片をマグネットで吸着した際の衝撃を効率よく吸収することのできるドアストッパを提供しようとするものである。
（請求項４）
請求項４記載の発明によれば、上記した請求項１、請求項２又は請求項３記載の発明の目的に加え、次の点を目的とする。
【０００８】
すなわち、請求項４記載の発明によれば、係止部の突出動作又は非突出動作を、手指による操作片(70)の操作で行うことができ、双方の状態を保持することのできるドアストッパを提供しようとするものである。
（請求項５）
請求項５記載の発明によれば、上記した請求項２、請求項３又は請求項４記載の発明の目的に加え、次の点を目的とする。
【０００９】
すなわち、請求項５記載の発明によれば、係止部が既に突出状態であっても、マグネットがストッパ片を吸着するときに、係止部が非突出状態へ移動可能なドアストッパを提供しようとするものである。
（請求項６）
請求項６記載の発明によれば、上記した請求項１、請求項２、請求項３、請求項４又は請求項５記載の発明の目的に加え、次の点を目的とする。
【００１０】
すなわち、請求項６記載の発明によれば、ストッパ片が吸着される際に生じる不快な音や衝撃を有効に防止することのできるドアストッパを提供しようとするものである。
（請求項７）
請求項７記載の発明によれば、扉の周囲の空間を有効に利用することで、設置場所を大きくとらないドアストッパを提供しようとするものである。
【課題を解決するための手段】
【００１１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１記載の発明は、次の点を特徴とする。
第１に、ドアストッパは、扉側に固定され、マグネット(40)を有するストッパ本体(10)と、床面に固定され、前記床面から突出して前記ストッパ本体(10)と係合するストッパ片(91)を揺動可能に備えた係止具本体とからなり、開扉時に前記扉が設定された位置にきたときに、前記マグネット(40)の励磁吸着作用によって前記ストッパ片(91)を前記床面から突出させて前記ストッパ本体(10)に当接させて、前記扉のそれ以上の開放を阻止するように構成した。
【００１２】
第２に、ストッパ本体(10)には、次のものを備えている。
（１）係止部
係止部(60)は、ストッパ本体(10)から突出可能に形成され、突出時には前記ストッパ片(91)に係止するものである。
（２）緩衝壁
緩衝壁(51)は、マグネット(40)と吸着時のストッパ片(91)との間に介在するように設けられ、マグネット(40)の励磁作用により吸着されたストッパ片(91)がマグネット(40)に当接する際の衝撃を緩衝させるためのものである。
（請求項２）
請求項１記載の発明は、上記した請求項１記載の発明の特徴点に加え、次の点を特徴とする。
【００１３】
第１に、ストッパ片(91)は、次のものを備えている。
（１）アーム部
アーム部(93)は、一端側を床面側に揺動可能に配置されている。
（２）一対の延出片(94)
一対の延出片(94)は、アーム部(93)の他端側に設けられ、アーム部(93)の長さ方向とは交差する方向の両側に延びている。
【００１４】
第２に、係止部(60)は、次の点を特徴とする。
係止部(60)は、前記アーム部(93)の幅よりも広く、前記延出片(94)の延出方向の幅よりも狭い対向間隔を介して配置された一対の係止爪(61)からなる。
第３に、一対の係止爪(61)は、次の点を特徴とする。
前記一対の係止爪(61)は、前記アーム部(93)の両側から突出して、前記一対の延出片(94)に各々係止するように形成した。
（請求項３）
請求項３記載の発明は、上記した請求項１又は請求項２記載の発明の特徴点に加え、次の点を特徴とする。
【００１５】
緩衝壁(51)は、弾性を備えた樹脂で形成したものである。
（請求項４）
請求項４記載の発明は、上記した請求項１、請求項２又は請求項３記載の発明の特徴点に加え、次の点を特徴とする。
第１に、係止部(60)は、以下の構成を備えている。
（操作片）
操作片(70)は、ストッパ本体(10)に対する突出動作を操作するためのものである。
第２に、
前記操作片(70)は、ストッパ本体(10)に設けた一次保持部に付勢されて一時的に保持されることで、係止部(60)を突出させた突出位置に一次保持可能とするとともに、前記一次保持部への付勢力に抗する操作によって、前記係止部(60)を突出位置から開放されて非突出位置へ移動可能に形成したものである。
（請求項５）
請求項５記載の発明は、上記した請求項２、請求項３又は請求項４記載の発明の特徴点に加え、次の点を特徴とする。
（一対の延出片）
一対の延出片(94)は、マグネット(40)の励磁作用によってストッパ片(91)がストッパ本体(10)に当接した際に、前記マグネット(40)の励磁作用によって突出状態となっている前記ストッパ片(91)を押圧することによって、一次保持部の付勢力に抗して非突出状態へ移動可能に形成したものである。
（請求項６）
請求項６記載の発明は、上記した請求項１、請求項２、請求項３、請求項４又は請求項５記載の発明の特徴点に加え、次の点を特徴とする。
【００１６】
第１に、ストッパ本体(10)は、次の構成を備えている。
（側面板）
側面板(21)は、固定された扉の垂直面に対向して位置するものである。
（底面板）
底面板(22)は、前記側辺板の下端から延び前記扉の底面に対向して位置するものである。
【００１７】
底面板(22)は、金属製のものが用いられる。
（底面部材）
底面部材(50)は、前記底面板(22)の下方に配置され、マグネット(40)により吸着されたストッパ片(91)と底面板(22)との間に介在して、底面板(22)とストッパ片(91)とが直接当接するのを防止するためのものである。
【００１８】
また、底面部材は、樹脂製であることを特徴とする
（請求項７）
請求項７記載の発明は、上記した請求項１、請求項２、請求項３、請求項４、請求項５又は請求項６記載の発明の特徴点に加え、次の点を特徴とする。
ストッパ本体(10)は、次の構成を備えている。
（側面部）
側面部は、ストッパ本体(10)のうち、扉の側面に配置される部分ををいう。
（底面部）
底面部は、ストッパ本体(10)のうち、前記側面部の下端に連続するとともに、扉の下端面に設置される部分をいい、マグネット(40)、係止部(60)及び緩衝壁(51)が配置される。
【００１９】
そして、側面部及び底面部が断面Ｌ字型をなすように形成されている。
【発明の効果】
【００２０】
本発明は、以上のように構成されているので、以下に記載されるような効果を奏する。
（請求項１）
請求項１記載の発明によれば、ストッパ片がマグネットによって吸着されたときでも、大きな音が発生したり、マグネットが欠けたりすることがなく、かつ、扉の開放状態が軽い衝撃などで容易に解除されることのないドアストッパを提供することができる。
（請求項２）
請求項２記載の発明によれば、上記した請求項１記載の発明の効果に加え、ストッパ片に係止部を安定的に係止させることで、扉の開状態を安定的に維持することのできるドアストッパを提供することができる。
（請求項３）
請求項３記載の発明によれば、上記した請求項１又は請求項２記載の発明の効果に加え、ストッパ片をマグネットで吸着した際の衝撃を効率よく吸収することのできるドアストッパを提供することができる。
（請求項４）
請求項４記載の発明によれば、上記した請求項２又は３記載の発明の効果に加え、係止部(60)の突出動作又は非突出動作を、手指による操作片(70)の操作で行うことができ、双方の状態を保持することのできるを提供することができる。
（請求項５）
請求項５記載の発明によれば、上記した請求項２、請求項３又は請求項４記載の発明の効果に加え、係止部(60)が既に突出状態であっても、マグネットがストッパ片を吸着するときに、係止部(60)が非突出状態へ移動可能なドアストッパを提供することができる。
（請求項６）
請求項６記載の発明によれば、上記した請求項１、請求項２、請求項３、請求項４又は請求項５記載の発明の目的に加え、次の点を目的とする。
【００２１】
すなわち、請求項６記載の発明によれば、ストッパ片が吸着される際に生じる不快な音や衝撃を有効に防止することのできるドアストッパを提供する。
（請求項７）
請求項７記載の発明によれば、扉の周囲の空間を有効に利用することで、設置場所を大きくとらないドアストッパを提供する。
【発明を実施するための最良の形態】
【００２２】
（図面の説明）
図１〜６は、本発明のドアストッパの実施の形態の一例をそれぞれ示すものである。図１はドア側から見たドアストッパの分解斜視図、図２は反ドア側から見たドアストッパの分解斜視図、図３は図２とは斜視図とは見る方向を異にするドアストッパの斜視図、図４は扉に設置する側のストッパ本体の正面図、図５はストッパ片を吸着した状態を示す扉とドアストッパの断面図、図６は吸着したストッパ片が係止部(60)に係止した状態を示す扉とドアストッパの断面図を各々示す。
【００２３】
ドアストッパは、図１に示すように、扉に固定されるストッパ本体10と、床面に固定され、前記床面から突出して前記ストッパ本体10と係合するストッパ片91を揺動可能に備えた係止具本体90とからなる。
そして、前記ストッパ本体10は、図１〜３に示すように、大別して、側面視を略Ｌ字型をした固定金具20と、前記固定金具20の縦上部をカバーする上部カバー部材30と、前記固定金具20の下部をカバーするとともにマグネット40が配置された底面部材50と、前記底面部材50と前記固定金具20との間に配置されるマグネット40と、前記固定金具20及び下部カバー部材とに軸支され、側面視を略Ｌ字型に形成した係止部60と、係止部60よりも反扉側に位置し、同じく前記固定金具20及び下部カバー部材とに軸支され、前記係止部60を揺動させる操作片70とを備える。
（固定金具）
前記固定金具20は、全体としてステンレスで形成されている。そして、固定金具20は、図１〜３に示すように、垂直方向に伸び、図には詳しく示さないが、開放する側の扉の表面に固定される側面板21を備え、側面板21には、開放する側の扉の表面にねじ止め固定するための一対のねじ穴を備えている。
【００２４】
また、側面板21は、図１及び図３に示すように、扉の表面に接する側とは逆側に、底面部材50、係止部60及び操作片70と同じ軸体100が挿入される一対の軸穴80が形成されている。
さらに、固定金具20には、図１〜３に示すように、側面板21の下端から水平方向に伸び、取り付けられた扉の下端が当接する底面板22を備えている。そして、底面板22の自由端側には、底面部材50と係合する左右一対の係合爪23が設けられている。
（上部カバー部材）
上部カバー部材30は、樹脂により形成され、図１〜３に示すように、二つの開口部分を備えた箱状をなし、開口部分を介して、扉に固定された固定金具20の側面板21の上方から装着される。また、上部カバー部材30の反固定金具20側には、そのほぼ中央に、操作片70を操作するためのに手指の挿入が可能な凹部31が形成されている。
（底面部材）
底面部材50は、上部カバー部材30と同様に樹脂により形成され、図には詳しく示さないが、固定金具20に対して左右一対の係合爪23を含めて係合するとともに、扉の下端面に当接するように設置される。そして、底面部材50は、固定金具20の底面板22及び一対の挿入片が係合可能なように、一対の縦溝が形成されている。
【００２５】
また、底面部材50には、固定金具20の側面板21の反扉側の位置から上方へ伸びた２枚ずつ一対の突出片52が形成されている。そして、４枚の突出片52の突出先端側には、図１〜３に示すように、固定金具20、係止部60及び操作片70と同じ軸体100が挿入される軸穴80がそれぞれ形成されている。
さらに底面部材50には、一対のスリット53が形成されている。スリット53は、係止部60が揺動した際に、係止部60が底面部材50から下方に突出するためのものである
また、底面部材50には、図１に示すように、マグネット40を設置するための上部を開口したポケット54を設けている。ポケット54は、その底面を、底面部材50の底面として樹脂で形成されていることから、磁力で勢いよくストッパ片91が吸着されても、吸着されたストッパ片91がマグネット40に直接衝突しないので、不快な音が生じたり、マグネット40が破損したり、衝撃で設置されたマグネット40が取れてしまうことがない。
【００２６】
また、底面部材50には、ポケット54の下底にあたる位置に、緩衝壁(51)を底面部材50と一体的に形成している。
（マグネット）
マグネット40は、床に設置された係止具本体90のストッパ片91を吸着可能な能力があればよい。
（係止部）
係止部60は、図１〜３に示すように、短辺を上に向けた略Ｌ字型の一対の係止爪61が所定の対向間隔を介して配置され、その上端を接続部で接続することにより、一体的に形成している。また、係止爪61の高さ途中には、固定金具20、操作片70及び底面部材50と同じ軸体100が挿入される軸穴80がそれぞれ設けられている。
（操作片）
操作片70は、図１〜３に示すように、装着された上部カバー部材30の凹部31から外側に望むように位置する、手指による押圧操作のための操作部71と、操作部71の下方に形成され、固定金具20、底面部材50及び係止部60と同じ軸体100が挿入される軸穴80と、軸穴80の下方に設けられ、操作部71の押圧により、軸体100が挿入された軸穴80を支点として揺動させる作用部72とを備えている。
【００２７】
また、操作部71は、図１〜３に示すように、係止部60と対向する扉側の面に、操作部71の押圧によって、係止部60の上部を扉方向に押圧可能なように、係止部60方向に突出した薄板状の押圧片(73)を備えている。
したがって、操作部71を扉方向に押圧すると、押圧片(73)が係止部60を扉方向に押圧するから、係止部60は、軸体100が挿入された軸穴80を支点として、上部を扉方向に、係止爪61を下方向に移動させ、底面部材50から下方に突出するように移動させることができる。
【００２８】
一方、押圧され扉方向に移動している操作部71を、反扉方向に引くと、係止部60は、軸体100が挿入された軸穴80を支点として、上部を反扉方向に、係止爪61を上方向に移動させ、底面部材50から突出しない状態に移動させることができる。
そして、上記のように、底面部材50、マグネット40、一対の係止爪61を扉の下端面に配置し、操作部71をドアの側面に配置するようにしたので、扉の下端面を有効に活用することができ、機械部分が見えるところに大きく露出することがなく、スマートなドアストッパとすることができる。
（係止具本体）
係止具本体90は、図５及び６に示すように、床面に固定されるリング状の台座92と、台座92に設けられ、ストッパ本体10の磁石に一端を吸着されるストッパ片91とを備えている。
（台座）
台座92は、扉の開放状態を保持したい適宜の位置に、ビスなどの固定具によって床面に固定されている。
（ストッパ片）
ストッパ片91は、床に固定された台座92に、一端側を陽動可能に配置され、他端を自由端とするアーム部93と、アーム部93の自由端側に設けられ、アーム部93の長さ方向とは交差する方向の両側に伸びた一対の延出片94とを備え、全体としてＴ字型をなしている。
している。
【００２９】
また、ストッパ片91は、マグネット40により吸着可能な金属で形成されている。
アーム部93は、係止部60の係止爪61の対向間隔よりも狭く形成されることで、マグネット40で吸着された際に、係止爪61の対向間隔内に位置可能となっている。
一方、一対の延出片94の両側端の間隔は、係止爪61の対向間隔よりも広く形成されていることから、一対の延出片94は、マグネット40で吸着された際には、係止爪61の対向間隔内に位置することはできないようになっている。
【００３０】
つぎに、上記構成を備えたドアストッパの動作について、図５及び６を用いて説明する。
まず、図５及び図６に示すように、床面に扉Dの開放状態を保持したい位置に、係止具本体90をあらかじめ固定しておく。
つぎに、ストッパ本体10を扉に固定した状態で、扉を開放して係止具本体90が固定されている位置まで移動させると、図５に示すように、マグネット40に吸着されて、ストッパ片91の自由端側の台座92から起き上がって、底面部材50のポケット54の位置の裏面に当接した状態となる。
【００３１】
また、この状態では、底面部材50から係止爪61が突出していないから、ストッパ片91が一対の係止爪61に係止されることはない。
そして、この状態であっても、マグネット40がストッパ片91を吸着する力で、強い力を加えない限り、吸着されたストッパ片91が底面部材50のポケット54の位置の裏面から外れることはないから、扉Dの開放状態は保持される。
【００３２】
しかしながら、人の手で強く引いたり、強い風などによって、マグネット40の吸着力よりも強い力が扉に加わると、扉の開放状態を維持することはできなくなる。
そこで、扉Dの開放状態を確実なものにするには、操作片70を扉方向に押圧する。
操作片70を押圧すると、軸体100に軸支された操作片70は操作部71によって係止部60を押圧し、係止部60は、軸体100を中心にして、前方に倒れる方向に移動することとなるから、図６に示すように、一対の係止爪61は底面部材50から下方に突出した状態となる。
【００３３】
この状態では、ストッパ片91のアーム部93は、係止爪61の対向間隔に収まってしまうが、延出片94は、係止爪61の対向間隔よりも幅が広いので、延出片94は、係止爪61の先端に係止されてしまう。
延出片94が、係止爪61の先端に係止された状態であると、扉Dを閉止方向へ移動させようとすると、図６に示すように、一対の係止爪61の突出した先端がそれぞれ延出片94に邪魔されてそれ以上移動することができずに、開放状態が保持される。
【００３４】
そして、開放が保持された状態から、扉Dを閉止するには、押圧した操作片70を引っ張り、元位置に戻す。
操作片70を引っ張って元位置に戻すと、軸体100に軸支された操作片70の作用部72は、軸体100よりも下方部分の係止部60を押圧し、軸体100を中心にして、後方に倒れる方向に移動することとなるから、図５に示すように、再び一対の係止爪61が底面部材50から突出していない状態となる。
【００３５】
この状態であれば、扉Dを人の手で閉止させると、マグネット40がストッパ片91を吸着しているだけなので、マグネット40に吸着されたストッパ片91は容易に外れ、扉を閉止させることができる。
また、一対の延出片94は、マグネット40の励磁作用によってストッパ片91がストッパ本体10に当接した際に、マグネット40の励磁作用によって突出状態となっているストッパ片91を押圧することによって、一次保持部の付勢力に抗して非突出状態へ移動可能に形成されているので、ストッパ片91がマグネット40に吸着されても、人の手によれば軽く扉Dを閉止することができ、ストッパ本体10の係止爪61によって扉が不用意に開放を保持された状態とはならない。
【００３６】
また、ストッパ本体(10)のうち、マグネット(40)、係止部(60)及び緩衝壁(51)を扉の下端面に設置することで、扉の下端面を有効利用して、場所を大きくとらないで、ドアストッパを設置することができる。
【図面の簡単な説明】
【００３７】
【図１】ドア側から見たドアストッパの分解斜視図である。
【図２】反ドア側から見たドアストッパの分解斜視図である。
【図３】図２とは斜視図とは見る方向を異にするドアストッパの斜視図である。
【図４】図４は扉に設置する側のストッパ本体の正面図である。
【図５】ストッパ片を吸着した状態を示す扉とドアストッパの断面図である。
【図６】吸着したストッパ片が係止部に係止した状態を示す扉とドアストッパの断面図を各々示す。である。
【符号の説明】
【００３８】
10  ストッパ本体
20  固定金具          21  側面板
22  底面板            23  係合爪
30  上部カバー部材    31  凹部
40  マグネット
50  底面部材          51  緩衝壁
52  突出片            53  スリット
54  ポケット
60  係止部            61  係止爪
70  操作片            71  操作部
72  作用部            73  押圧片
80  軸穴
90  係止具本体        91  ストッパ片
92  台座              93  アーム部
94  延出片
100  軸体
【図１】
2009108649.tif 000003
【図２】
2009108649.tif 000004
【図３】
2009108649.tif 000005
【図４】
2009108649.tif 000006
【図５】
2009108649.tif 000007
【図６】
2009108649.tif 000008